(57)【特許請求の範囲】
【請求項１】
枚葉の用紙を搬送する用紙搬送装置において、
外周面上に前記用紙を巻き付けて回転することにより、前記用紙を搬送するドラムと、
少なくとも外周部が弾性体で形成されるとともに、中央から両端に向かって外径が小さくなるように形成され、前記ドラムの外周面上の所定位置で前記用紙の表面を押圧して、前記用紙の裏面を前記ドラムの外周面に密着させる押圧ローラと、
前記ドラムと前記押圧ローラとの間に進入する前記用紙に対してバックテンションを付与するバックテンション付与手段であって、前記用紙が前記ドラムと前記押圧ローラとの間に進入する直前の位置で前記用紙の表面を吸引して、前記用紙にバックテンションを付与するバックテンション付与手段と、
を備えることを特徴とする用紙搬送装置。
【請求項２】
前記押圧ローラは、前記用紙の幅方向の全域に密着するように、外径差及び押圧力が設定されることを特徴とする請求項１に記載の用紙搬送装置。
【請求項３】
前記押圧ローラは、互いに外径差の異なるものが複数揃えられ、交換可能に設けられることを特徴とする請求項１又は２に記載の用紙搬送装置。
【請求項４】
枚葉の用紙を搬送する用紙搬送装置において、
外周面上に前記用紙を巻き付けて回転することにより、前記用紙を搬送するドラムと、
少なくとも外周部が弾性体で形成されるとともに、周面に中央から両端に向かって螺旋状の溝が形成され、前記ドラムの外周面上の所定位置で前記用紙の表面を押圧して、前記用紙の裏面を前記ドラムの外周面に密着させる押圧ローラと、
前記ドラムと前記押圧ローラとの間に進入する前記用紙に対してバックテンションを付与するバックテンション付与手段であって、前記用紙が前記ドラムと前記押圧ローラとの間に進入する直前の位置で前記用紙の表面を吸引して、前記用紙にバックテンションを付与するバックテンション付与手段と、
を備えることを特徴とする用紙搬送装置。
【請求項５】
前記押圧ローラは、前記用紙の幅方向の全域に密着するように、溝深さ及び押圧力が設定されることを特徴とする請求項４に記載の用紙搬送装置。
【請求項６】
前記押圧ローラは、互いに溝の傾斜角が異なるものが複数揃えられ、交換可能に設けられることを特徴とする請求項４又は５に記載の用紙搬送装置。
【請求項７】
前記用紙の先端を把持して回転することにより、前記用紙を搬送し、前記用紙を前記ドラムに受け渡す回転搬送手段を更に備えることを特徴とする請求項１から６のいずれか１項に記載の用紙搬送装置。
【請求項８】
前記バックテンション付与手段は、
前記用紙の表面が摺接されるガイド面を有するとともに、該ガイド面に吸引穴が形成された用紙ガイドと、
前記吸引穴から吸引して、前記用紙の表面を前記ガイド面に密着させる吸引手段と、
を備えることを特徴とする請求項１から７のいずれか１項に記載の用紙搬送装置。
【請求項９】
前記ドラムは、外周面上に巻き付けられる前記用紙の裏面を吸着保持する吸着保持手段を有することを特徴とする請求項１から８のいずれか１項に記載の用紙搬送装置。
【請求項１０】
前記ドラムは、前記用紙の先端を把持する先端把持手段を有することを特徴とする請求項１から９のいずれか１項に記載の用紙搬送装置。
【請求項１１】
請求項１から１０のいずれか１項に記載の用紙搬送装置と、
前記ドラムによって搬送される前記用紙の表面にインクの液滴を吐出するインクジェットヘッドと、
を備えることを特徴とするインクジェット記録装置。
【発明の詳細な説明】
【技術分野】
【０００１】
本発明は、用紙搬送装置及びインクジェット記録装置に係り、特に用紙をドラムで搬送する技術に関する。
【背景技術】
【０００２】
インクジェット記録装置における用紙の搬送方式として、ドラム搬送方式が知られている。ドラム搬送方式では、ドラムの外周面上に用紙を巻き付けて、ドラムを回転させることにより、用紙を搬送する。
【０００３】
特許文献１には、ドラム搬送方式を採用したインクジェット記録装置が記載されている。このインクジェット記録装置では、ドラムに巻き付けられる用紙に浮きやシワが発生するのを防止するために、ドラムからドラムに用紙を受け渡す際、用紙にバックテンションを付与しながら受け渡す構成とされている。具体的には、前段のドラムで用紙を搬送する際、用紙の搬送経路に沿ってガイド板を配置し、そのガイド板によって用紙の裏面を吸引することにより、用紙にバックテンションを付与している。
【先行技術文献】
【特許文献】
【０００４】
【特許文献１】特開２００９−２２０９５４号公報
【発明の概要】
【発明が解決しようとする課題】
【０００５】
ところで、印字部のように用紙の平坦性が要求される場所では、用紙をドラムに密着させるために、ドラムの外周面上に押圧ローラが設置される。押圧ローラは、ドラムの外周面上に巻き掛けられる用紙の表面を押圧して、用紙をドラムに密着させる。このような押圧ローラを設置した場合、用紙は先端側から順にドラムに密着されてゆく。このとき、用紙に支えがないと、用紙が弛んで、押圧時にシワが発生するという問題がある。
【０００６】
特許文献１の場合、用紙がガイド板にガイドされている間は、バックテンションの効果によって、用紙を撓みなくドラムと押圧ローラとの間に導くことができる。しかしながら、用紙が搬送ガイドを通過してしまうと、用紙にはバックテンションが付与されなくなり、用紙の後端部で用紙が弛んで、押圧時にシワが発生するという問題がある。
【０００７】
また、特許文献１では、吸引により用紙の裏面をガイド板に密着させて、用紙にバックテンションを付与する構成としているので、裏面側に既に画像が記録されていると（たとえば、両面印刷時など）、その画像を傷つけてしまうという欠点がある。
【０００８】
本発明は、このような事情に鑑みてなされたもので、シワや浮きを生じさせずに搬送することができる用紙搬送装置及びインクジェット記録装置を提供することを目的とする。
【課題を解決するための手段】
【０００９】
課題を解決するための手段は、次のとおりである。
【００１０】
［１］用紙搬送装置の第１の態様は、枚葉の用紙を搬送する用紙搬送装置において、外周面上に前記用紙を巻き付けて回転することにより、前記用紙を搬送するドラムと、少なくとも外周部が弾性体で形成されるとともに、中央から両端に向かって外径が小さくなるように形成され、前記ドラムの外周面上の所定位置で前記用紙の表面を押圧して、前記用紙の裏面を前記ドラムの外周面に密着させる押圧ローラと、前記ドラムと前記押圧ローラとの間に進入する前記用紙に対してバックテンションを付与するバックテンション付与手段と、を備える。
【００１１】
本態様によれば、用紙は、バンクテンションが付与されながら、押圧ローラに押圧される。バックテンションを付与することにより、用紙に生じている変形（歪み）を伸ばすことができ、この状態で用紙を押圧ローラで押圧することにより、シワや浮きの発生を効果的に抑制することができる。また、用紙は、中央から両端に向かって外径が小さくなるように形成された押圧ローラを用いて押圧される。このように形成された押圧ローラは、中央から外側に向けて用紙を伸ばすように押圧する。バックテンションを付与しながら、このような押圧ローラで押圧することにより、用紙に対して幅方向にも張力を付与することができる。これにより、隅々までシワや浮きを発生させることなく、用紙をドラムの周面に密着させることができる。なお、バックテンションを付与しないで押圧した場合は、用紙が押圧ローラで潰されるだけになるので、用紙の歪みが後端に寄せ集められるだけになり、用紙の後端にシワが発生する。バックテンションを付与することにより、この歪みを伸ばして取り除くことができる。
【００１２】
［２］用紙搬送装置の第２の態様は、上記第１の態様の用紙搬送装置において、前記押圧ローラが、前記用紙の幅方向の全域に密着するように、外径差及び押圧力が設定される。
【００１３】
本態様によれば、押圧ローラが用紙の幅方向の全域に密着するように、押圧ローラの外径差及び押圧力が設定される。用紙の幅方向の全域に押圧ローラの周面を接触させることにより、幅方向の端部まで用紙を押圧することができる。これにより、用紙の幅方向の端部まで確実にシワや浮きが生じるのを防止できる。
【００１４】
［３］用紙搬送装置の第３の態様は、上記第１又は２の態様の用紙搬送装置において、前記押圧ローラが、互いに外径差の異なるものが複数揃えられ、交換可能に設けられる。
【００１５】
本態様によれば、互いに外径差の異なる押圧ローラが複数揃えられ、交換可能に設けられる。用紙の幅方向に作用する力（用紙を幅方向に伸ばす力）は、押圧ローラの形状に応じて異なる。用紙の種類や用紙に生じている変形の程度などに応じて、押圧ローラを変えることにより、適切に用紙を押圧して、用紙をドラムに密着させることができる。
【００１６】
［４］用紙搬送装置の第４の態様は、枚葉の用紙を搬送する用紙搬送装置において、外周面上に前記用紙を巻き付けて回転することにより、前記用紙を搬送するドラムと、少なくとも外周部が弾性体で形成されるとともに、周面に中央から両端に向かって螺旋状の溝が形成され、前記ドラムの外周面上の所定位置で前記用紙の表面を押圧して、前記用紙の裏面を前記ドラムの外周面に密着させる押圧ローラと、前記ドラムと前記押圧ローラとの間に進入する前記用紙に対してバックテンションを付与するバックテンション付与手段と、を備える。
【００１７】
本態様によれば、用紙は、バンクテンションが付与されながら、押圧ローラに押圧される。バックテンションを付与することにより、用紙に生じている変形（歪み）を伸ばすことができ、この状態で用紙を押圧ローラで押圧することにより、シワや浮きの発生を効果的に抑制することができる。また、用紙は、中央から両端に向かって螺旋状の溝が形成された押圧ローラを用いて押圧される。このように形成された押圧ローラは、中央から外側に向けて用紙を伸ばすように押圧する。バックテンションを付与しながら、このような押圧ローラで押圧することにより、用紙に対して幅方向にも張力を付与することができる。これにより、隅々までシワや浮きを発生させることなく、用紙をドラムの周面に密着させることができる。なお、バックテンションを付与しないで押圧した場合は、用紙が押圧ローラで潰されるだけになるので、用紙の歪みが後端に寄せ集められるだけになり、用紙の後端にシワが発生する。バックテンションを付与することにより、この歪みを伸ばして取り除くことができる。
【００１８】
［５］用紙搬送装置の第５の態様は、上記第４の態様の用紙搬送装置において、前記押圧ローラが、前記用紙の幅方向の全域に密着するように、溝深さ及び押圧力が設定される。
【００１９】
本態様によれば、押圧ローラが用紙の幅方向の全域に密着するように、押圧ローラに形成される溝の深さ、押圧力が設定される。用紙の幅方向の全域に押圧ローラの周面を接触させることにより、幅方向の端部まで用紙を押圧することができる。これにより、用紙の幅方向の端部まで確実にシワや浮きが生じるのを防止できる。
【００２０】
［６］用紙搬送装置の第６の態様は、上記第４又は５の態様の用紙搬送装置において、前記押圧ローラが、互いに溝の傾斜角が異なるものが複数揃えられ、交換可能に設けられる。
【００２１】
本態様によれば、互いに溝の傾斜角が異なる押圧ローラが複数揃えられ、交換可能に設けられる。用紙の幅方向に作用する力（用紙を幅方向に伸ばす力）は、押圧ローラに形成される螺旋状の溝の傾斜角度に応じて異なる。用紙の種類や用紙に生じている変形の程度などに応じて、押圧ローラを変えることにより、適切に用紙を押圧して、用紙をドラムに密着させることができる。
【００２２】
［７］用紙搬送装置の第７の態様は、上記第１から６のいずれか１の態様の用紙搬送装置において、前記バックテンション付与手段が、前記用紙が前記ドラムと前記押圧ローラとの間に進入する直前の位置で前記用紙の表面を吸引して、前記用紙にバックテンションを付与することを特徴とする。
【００２３】
本態様によれば、ドラムと押圧ローラとの間に進入する直前の位置で用紙の表面が吸引されて、用紙にバックテンションが付与される。これにより、最後まで弛みを発生させることなく、用紙をドラムと押圧ローラとの間に進入させることができる。用紙の表面を吸引してバックテンションを付与することにより、裏面に画像が記録されている場合（たとえば、裏面印刷時）であっても、その画像を傷つけずにバックテンションを付与することができる。
【００２４】
［８］用紙搬送装置の第８の態様は、上記第７の態様の用紙搬送装置において、前記バックテンション付与手段が、前記用紙の表面が摺接されるガイド面を有するとともに、該ガイド面に吸引穴が形成された用紙ガイドと、前記吸引穴から吸引して、前記用紙の表面を前記ガイド面に密着させる吸引手段と、を備える。
【００２５】
本態様によれば、用紙は表面を吸引されることにより、ガイド面に密着しながら搬送されて、バックテンションが付与される。これにより、用紙の走行を安定させることができるとともに、確実にバックテンションを付与することができる。
【００２６】
［９］用紙搬送装置の第９の態様は、上記第１から８のいずれか１の態様の用紙搬送装置において、前記ドラムが、外周面上に巻き付けられる前記用紙の裏面を吸着保持する吸着保持手段を有する。
【００２７】
本態様によれば、用紙の裏面がドラムの外周面に吸着されて、ドラムに搬送される。これにより、より確実に用紙をドラムの外周面に密着させることができる。
【００２８】
［１０］用紙搬送装置の第１０の態様は、上記第１から９のいずれか１の態様の用紙搬送装置において、前記ドラムが、前記用紙の先端を把持する先端把持手段を有する。
【００２９】
本態様によれば、用紙の先端が把持されて、ドラムに搬送される。これにより、用紙をスリップさせることなく搬送することができる。
【００３０】
［１１］インクジェット記録装置の一態様は、上記第１から１０のいずれか１の態様の用紙搬送装置と、前記ドラムによって搬送される前記用紙の表面にインクの液滴を吐出するインクジェットヘッドと、を備える。
【００３１】
本態様によれば、浮きやシワを生じさせることなく用紙を搬送できるため、高品質な画像を記録することができる。また、インクジェットヘッドへの接触も防止することができるので、安定した運転を行うことができる。また、両面印刷時も記録済みの画像を傷つけることなく印刷することができる。
【発明の効果】
【００３２】
本発明によれば、シワや浮きを生じさせることなく用紙を搬送することができる。これにより、高品質な画像を記録することができる。
【図面の簡単な説明】
【００３３】
【図１】本発明に係るインクジェット記録装置の一実施形態を示す全体構成図
【図２】インクジェット記録装置の制御系の概略構成を示すブロック図
【図３】画像記録部の用紙搬送機構の概略構成を示す側面図
【図４】画像記録部の用紙搬送機構の概略構成を示す斜視図
【図５】押圧ローラの構成を示す平面図
【図６】用紙ガイドの下面図（ガイド面の平面図）
【図７】押圧ローラとバックテンション付与装置の作用の説明図
【図８】押圧ローラの作用の説明図
【図９】押圧ローラの他の形態を示す平面図
【図１０】用紙に対する溝の相対的な移動軌跡を示す図
【図１１】用紙ガイドのガイド面の他の態様を示す図
【図１２】用紙ガイドのガイド面の更に他の態様を示す図
【図１３】用紙ガイドのガイド面の更に他の態様を示す図
【図１４】ガイド面に形成する吸引穴の他の態様を示す図
【図１５】ガイド面に形成する吸引穴の更に他の態様を示す図
【図１６】吸着穴の他の態様を示す図
【図１７】用紙ガイドの設置方法の他の態様を示す図
【図１８】用紙ガイドの他の態様を示す図
【図１９】用紙ガイドの他の態様を示す図
【発明を実施するための形態】
【００３４】
以下、添付図面に従って本発明の好ましい実施の形態について詳説する。
【００３５】
《インクジェット記録装置の全体構成》
図１は本発明に係るインクジェット記録装置の一実施形態を示す全体構成図である。
【００３６】
このインクジェット記録装置１０は、枚葉の用紙Ｐに水性インク（水及び水に可溶な溶媒に染料、顔料などの色材を溶解又は分散させたインク）を用いてインクジェット方式で印刷する装置であり、用紙Ｐを給紙する給紙部２０と、用紙Ｐの表面（印刷面）に所定の処理液を塗布する処理液塗布部３０と、用紙Ｐの印刷面にシアン（Ｃ）、マゼンタ（Ｍ）、イエロ（Ｙ）、クロ（Ｋ）の各色のインク滴をインクジェットヘッドで打滴して、カラー画像を描画する画像記録部４０と、用紙Ｐに打滴されたインク滴を乾燥させるインク乾燥部５０と、用紙Ｐに記録された画像を定着させる定着部６０と、用紙Ｐを回収する回収部７０とを備えて構成される。
【００３７】
処理液塗布部３０、画像記録部４０、インク乾燥部５０、定着部６０の各部には、それぞれ用紙Ｐの搬送手段として、搬送ドラム３１、４１、５１、６１が備えられる。用紙Ｐは、この搬送ドラム３１、４１、５１、６１によって、処理液塗布部３０、画像記録部４０、インク乾燥部５０、定着部６０の各部を搬送される。
【００３８】
各搬送ドラム３１、４１、５１、６１は、円筒状に形成され、用紙幅に対応して形成される。各搬送ドラム３１、４１、５１、６１は、図示しないモータに駆動されて回転する（図１において、反時計回りに回転する。）。用紙Ｐは、各搬送ドラム３１、４１、５１、６１の外周面に巻き付けられて搬送される。
【００３９】
各搬送ドラム３１、４１、５１、６１の周面には、グリッパが備えられる。用紙Ｐは、このグリッパに先端部を把持されて搬送される。本例では、各搬送ドラム３１、４１、５１、６１の周面の２箇所にグリッパＧが設置される。グリッパＧは、１８０°間隔で設置される。これにより、１回の回転で２枚の用紙を搬送することができる。
【００４０】
また、各搬送ドラム３１、４１、５１、６１には、外周面上に巻き付けられた用紙Ｐを吸着保持する吸着保持機構が備えられる。本例では、空気圧（負圧）を用いて、用紙Ｐを外周面上に吸着保持する。このため、各搬送ドラム３１、４１、５１、６１の外周面には、多数の吸引穴が形成される。用紙Ｐは、この吸引穴から裏面を吸引されて、各搬送ドラム３１、４１、５１、６１の外周面上に吸着保持される。吸着保持機構は、静電気を利用した方式（いわゆる静電吸着方式）を採用することもできる。
【００４１】
処理液塗布部３０と画像記録部４０の間、画像記録部４０とインク乾燥部５０の間、インク乾燥部５０と定着部６０の間には、それぞれ渡し胴（回転搬送手段）８０、９０、１００が配置される。用紙Ｐは、この渡し胴８０、９０、１００によって、各部の間を搬送される。
【００４２】
各渡し胴８０、９０、１００は、円筒状の枠体で構成され、用紙幅に対応して形成される。各渡し胴８０、９０、１００は、図示しないモータに駆動されて回転する（図１において、時計回りに回転する。）。
【００４３】
各渡し胴８０、９０、１００の周面には、グリッパＧが備えられる。用紙Ｐは、このグリッパＧに先端部を把持されて搬送される。本例では、各渡し胴８０、９０、１００の外周部２箇所にグリッパＧが設置される。グリッパＧは、１８０°間隔で設置される。これにより、１回の回転で２枚の用紙を搬送することができる。
【００４４】
各渡し胴８０、９０、１００の下部には、用紙Ｐの搬送経路に沿って円弧状のガイド板８２、９２、１０２が配設される。渡し胴８０、９０、１００によって搬送される用紙Ｐは、このガイド板８２、９２、１０２に裏面（印刷面の反対側の面）をガイドされながら搬送される。
【００４５】
また、各渡し胴８０、９０、１００の内部には、渡し胴８０によって搬送される用紙Ｐに向けて熱風を吹き出すドライヤ８４、９４、１０４が設置される（本例では、用紙Ｐの搬送経路に沿って３台設置している。）。各渡し胴８０、９０、１００によって搬送される用紙Ｐは、その搬送過程でドライヤ８４、９４、１０４から吹き出された熱風が印刷面に吹き当てられる。これにより、各渡し胴８０、９０、１００による搬送過程で用紙Ｐを乾燥処理することができる。
【００４６】
なお、ドライヤ８４、９４、１０４は、熱風を吹き出して加熱する構成に代えて、赤外線ヒータ等から熱を放射して加熱する構成とすることもできる（いわゆる輻射による加熱）。
【００４７】
給紙部２０から給紙された用紙Ｐは、搬送ドラム３１→渡し胴８０→搬送ドラム４１→渡し胴９０→搬送ドラム５１→渡し胴１００→搬送ドラム６１の順で搬送され、最後に回収部７０で回収される。この給紙部２０から回収部７０で回収されるまでの間に用紙Ｐは所要の処理が施されて、印刷面に画像が記録される。
【００４８】
以下、本実施の形態のインクジェット記録装置１０の各部の構成について詳説する。
【００４９】
〈給紙部〉
給紙部２０は、枚葉の用紙Ｐを１枚ずつ周期的に給紙する。この給紙部２０は、主として、給紙装置２１と、給紙トレイ２２と、渡し胴２３とで構成される。
【００５０】
給紙装置２１は、図示しないマガジンにスタックされた用紙Ｐを上側から順に１枚ずつ給紙トレイ２２に給紙する。
【００５１】
給紙トレイ２２は、給紙装置２１から給紙された用紙Ｐを渡し胴２３に向けて送り出す。
【００５２】
渡し胴２３は、給紙トレイ２２から送り出された用紙Ｐを受け取り、回転して、処理液塗布部３０の搬送ドラム３１に受け渡す。
【００５３】
用紙Ｐは、特に限定されないが、一般のオフセット印刷などで使用される汎用の印刷用紙（いわゆる上質紙、コート紙、アート紙などのセルロースを主体とする用紙）を用いることができる。本例では塗工紙が用いられる。塗工紙は、一般に表面処理されていない上質紙や中性紙等の表面にコート材を塗布してコート層を設けたものである。具体的には、アート紙、コート紙、軽量コート紙、微塗工紙などが好適に用いられる。
【００５４】
汎用の印刷用紙は、インクジェット方式で印刷すると、滲み等が発生し、画像の品位が損なわれる。そこで、このような不具合を防止するために、本実施の形態のインクジェット記録装置１０では、次の処理液塗布部３０において、用紙Ｐの印刷面に所定の処理液を塗布する。
【００５５】
〈処理液塗布部〉
処理液塗布部３０は、用紙Ｐの印刷面に所定の処理液を塗布する。この処理液塗布部３０は、主として、用紙Ｐを搬送する搬送ドラム（以下、「処理液塗布ドラム」という。）３１と、その処理液塗布ドラム３１によって搬送される用紙Ｐの印刷面に所定の処理液を塗布する塗布装置３２とで構成される。
【００５６】
処理液塗布ドラム３１は、給紙部２０の渡し胴２３から用紙Ｐを受け取り（グリッパＧで用紙Ｐの先端を把持して受け取る。）、回転して用紙Ｐを所定の搬送経路に沿って搬送する。
【００５７】
塗布装置３２は、処理液塗布ドラム３１によって搬送される用紙Ｐの印刷面に所定の処理液をローラ塗布する。すなわち、周面に処理液が付与された塗布ローラを処理液塗布ドラム３１によって搬送される用紙Ｐの印刷面に押圧当接させて、用紙Ｐの印刷面に処理液を塗布する。処理液は、一定の厚さで塗布される。
【００５８】
塗布装置３２で塗布する処理液は、インク組成物中の成分を凝集させる凝集剤を含む液体で構成される。
【００５９】
凝集剤としては、インク組成物のpHを変化させることができる化合物であっても、多価金属塩であっても、ポリアリルアミン類であってもよい。
【００６０】
pHを低下させ得る化合物としては、水溶性の高い酸性物質（リン酸、シュウ酸、マロン酸、クエン酸、若しくは、これらの化合物の誘導体、又は、これらの塩等）が好適に挙げられる。酸性物質は、１種単独で用いてもよく、また、２種以上を併用してもよい。これにより、凝集性を高め、インク全体を固定化することができる。
【００６１】
また、インク組成物のpH（２５℃）は、８．０以上であって、処理液のpH（２５℃）は、０．５〜４の範囲が好ましい。これにより、画像濃度、解像度及びインクジェット記録の高速化を図ることができる。
【００６２】
また、処理液には、添加剤を含有することができる。たとえば、乾燥防止剤（湿潤剤）、褪色防止剤、乳化安定剤、浸透促進剤、紫外線吸収剤、防腐剤、防黴剤、pH調整剤、表面張力調整剤、消泡剤、粘度調整剤、分散剤、分散安定剤、防錆剤、キレート剤等の公知の添加剤を含有することができる。
【００６３】
このような処理液を用紙Ｐの印刷面に事前に塗布して印刷することにより、フェザリングやブリーディング等の発生を防止でき、一般の印刷用紙を使用しても、高品位な印刷を行うことが可能になる。
【００６４】
以上の構成の処理液塗布部３０において、用紙Ｐは、処理液塗布ドラム３１に保持されて、所定の搬送経路を搬送される。そして、その搬送過程で塗布装置３２によって印刷面に処理液が塗布される。
【００６５】
印刷面に処理液が塗布された用紙Ｐは、その後、所定位置で処理液塗布ドラム３１から渡し胴８０に受け渡される。そして、渡し胴８０によって所定の搬送経路を搬送されて、画像記録部４０の搬送ドラム４１に受け渡される。
【００６６】
ここで、上記のように、渡し胴８０には、その内部にドライヤ８４が設置されており、ガイド板８２に向けて熱風が吹き出されている。用紙Ｐは、この渡し胴８０によって処理液塗布部３０から画像記録部４０に搬送される過程で印刷面に熱風が吹き当てられて、印刷面に塗布された処理液が乾燥される（処理液中の溶媒成分が蒸発除去される。）。
【００６７】
〈画像記録部〉
画像記録部４０は、用紙Ｐの印刷面にＣ、Ｍ、Ｙ、Ｋの各色のインク滴を打滴して、用紙Ｐの印刷面にカラー画像を描画する。この画像記録部４０は、主として、用紙Ｐを搬送する搬送ドラム（以下、「画像記録ドラム」という。）４１と、用紙Ｐの印刷面を押圧して、用紙Ｐの裏面を画像記録ドラム４１の周面に密着させる押圧ローラ４２と、用紙Ｐの浮きを検出する用紙浮き検出センサ４３と、用紙ＰにＣ、Ｍ、Ｙ、Ｋの各色のインク滴を吐出して、画像を描画するインクジェットヘッド４４Ｃ、４４Ｍ、４４Ｙ、４４Ｋと、押圧ローラ４２の直前の位置で用紙Ｐの表面（印刷面）を吸引して、用紙Ｐにバックテンションを付与するバックテンション付与装置３００とを備えて構成される。
【００６８】
画像記録ドラム４１は、渡し胴８０から用紙Ｐを受け取り（グリッパＧで用紙Ｐの先端を把持して受け取る。）、回転して用紙Ｐを所定の搬送経路に沿って搬送する。
【００６９】
押圧ローラ４２は、画像記録ドラム４１の幅とほぼ同じ幅を有するゴムローラ（少なくとも外周部がゴム（弾性体）で構成されるローラ）で構成され、画像記録ドラム４１の用紙受取位置（渡し胴８０から用紙Ｐを受け取る位置）の近傍に配置される。渡し胴８０から画像記録ドラム４１に受け渡された用紙Ｐは、この押圧ローラ４２によって表面を押圧されることにより、裏面が画像記録ドラム４１の外周面に密着される。
【００７０】
ここで、この押圧ローラ４２は、その外形形状が、いわゆるクラウン形状に形成される。すなわち、外径が中央から両端に向かって小さくなる形状に形成される。このような形状の押圧ローラ４２で用紙Ｐの表面を押圧することにより、用紙Ｐを幅方向に伸ばしながら、用紙を押圧することができる。そして、バックテンション付与装置３００によって用紙Ｐにバックテンションを付与しながら、この押圧ローラ４２で用紙Ｐを押圧することにより、用紙Ｐの隅々までシワや浮きを発生させることなく、用紙Ｐを画像記録ドラム４１の周面に巻き付けることができる。この点については、のちに詳述する。
【００７１】
用紙浮き検出センサ４３は、押圧ローラ４２を通過した用紙Ｐの浮きを検出する（画像記録ドラム４１の外周面からの一定以上の浮きを検出する。）。この用紙浮き検出センサ４３は、レーザ光を投光するレーザ投光器４３Ａと、そのレーザ光を受光するレーザ受光器４３Ｂとで構成される。
【００７２】
レーザ投光器４３Ａは、画像記録ドラム４１の一端から他端に向けて画像記録ドラム４１の軸と平行なレーザ光を画像記録ドラム４１の外周面から所定高さの位置（浮きの許容範囲の上限の高さの位置）に投光する。
【００７３】
レーザ受光器４３Ｂは、画像記録ドラム４１による用紙Ｐの走行経路を挟んでレーザ投光器４３Ａと対向して配置され、レーザ投光器４３Ａから投光されたレーザ光を受光する。
【００７４】
画像記録ドラム４１によって搬送される用紙Ｐに許容値以上の浮きが生じていると、レーザ投光器４３Ａから投光されたレーザ光が用紙Ｐに遮光される。この結果、レーザ受光器４３Ｂで受光されるレーザ光の受光量が低下する。用紙浮き検出センサ４３は、このレーザ受光器４３Ｂで受光されるレーザ光の受光量を検出して、用紙Ｐの浮きを検出する。すなわち、レーザ受光器４３Ｂで受光されたレーザ光の受光量と閾値とを比較して、閾値以下の場合に浮き（許容値以上の浮き）が発生したと判定する。
【００７５】
許容値以上の浮きが検出されると、画像記録ドラム４１の回転が停止され、用紙Ｐの搬送が停止される。
【００７６】
なお、用紙浮き検出センサ４３は、レーザ投光器４３Ａから投光するレーザ光の高さ（画像記録ドラム４１の外周面からの高さ）を調整することができるように構成される。これにより、浮きの許容範囲を任意に設定することができる。
【００７７】
４台のインクジェットヘッド４４Ｃ、４４Ｍ、４４Ｙ、４４Ｋは、用紙浮き検出センサ４３の後段に配され、用紙Ｐの搬送方向に沿って一定の間隔で配置される。このインクジェットヘッド４４Ｃ、４４Ｍ、４４Ｙ、４４Ｋは、用紙幅に対応したラインヘッドで構成され、その下面（画像記録ドラム４１の外周面と対向する面）にノズル面が形成される。ノズル面には、用紙Ｐの搬送方向と直交する方向に一定のピッチでノズルが配置される（ノズル列）。各インクジェットヘッド４４Ｃ、４４Ｍ、４４Ｙ、４４Ｋは、このノズルから画像記録ドラム４１に向けてインク滴を吐出する。
【００７８】
本実施の形態のインクジェット記録装置１０で使用するインクは、水性紫外線硬化型インクであり、顔料、ポリマー粒子及び活性エネルギー線により重合する水溶性の重合性化合物を含有する。水性紫外線硬化型インクは、紫外線を照射することで硬化可能であり、耐察性に優れ膜強度が高いという性質を有する。
【００７９】
顔料は、その表面の少なくとも一部がポリマー分散剤で被覆された水分散性顔料が用いられる。
【００８０】
ポリマー分散剤は、酸価が２５〜１０００(KOHmg/g)のポリマー分散剤が用いられる。自己分散性の安定性が良好、かつ、処理液が接触したときの凝集性が良好になる。
【００８１】
ポリマー粒子は、酸価が２０〜５０(KOHmg/g)の自己分散性ポリマー粒子が用いられる。自己分散性の安定性が良好、かつ、処理液が接触したときの凝集性が良好になる。
【００８２】
重合性化合物としては、凝集剤と顔料、ポリマー粒子との反応を妨げない点でノニオン性又はカチオン性の重合性化合物が好ましく、水に対する溶解度が１０質量%以上（更には１５質量%以上）の重合性化合物を用いることが好ましい。
【００８３】
また、インクは、活性エネルギー線により重合性化合物の重合を開始する開始剤を含有する。開始剤は、活性エネルギー線により重合反応を開始し得る化合物を適宜選択して含有することができ、たとえば、放射線若しくは光又は電子線により活性種（ラジカル、酸、塩基など）を発生する開始剤（たとえば、光重合開始剤等）を用いることができる。なお、開始剤は処理液に含有させることもでき、インクと処理液の少なくとも一方に含有させればよい。
【００８４】
また、インクは水を５０〜７０質量%含有する。また、インクには添加剤を含有することができる。たとえば、水溶性有機溶媒や乾燥防止剤（湿潤剤）、褪色防止剤、乳化安定剤、浸透促進剤、紫外線吸収剤、防腐剤、防黴剤、pH調整剤、表面張力調整剤、消泡剤、粘度調整剤、分散剤、分散安定剤、防錆剤、キレート剤等の公知の添加剤を含有することができる。
【００８５】
バックテンション付与装置３００は、画像記録ドラム４１によって搬送される用紙Ｐが、押圧ローラ４２によって押圧される直前の位置（画像記録ドラム４１と押圧ローラ４２との間に進入する直前の位置）で用紙Ｐの上面を吸引して、用紙Ｐにバックテンションを付与する。このバックテンション付与装置３００は、用紙ガイド３１０によって用紙Ｐの上面を吸引して、用紙Ｐにバックテンションを付与する。用紙ガイド３１０は、用紙Ｐの上面が摺接されるガイド面を備え、そのガイド面に形成された吸引穴から用紙Ｐの上面を吸引する。
【００８６】
このバックテンション付与装置３００によって、押圧ローラ４２に押圧される直前の用紙Ｐにバックテンションを付与することにより、用紙Ｐに生じている変形（歪み）を伸ばしながら、用紙Ｐを押圧ローラ４２と画像記録ドラム４１との間に進入させることができる。そして、このバックテンション付与装置３００によって用紙Ｐにバックテンションを付与しながら、クラウン形状に形成された押圧ローラ４２で用紙Ｐを押圧することにより、用紙Ｐをピンと張った状態で押圧することができるようになり、用紙Ｐの隅々までシワや浮きを発生させることなく、用紙Ｐを画像記録ドラム４１の周面に巻き付けることができる。なお、この点については、バックテンション付与装置３００の具体的な構成とともに、のちに詳細に説明する。
【００８７】
以上の構成の画像記録部４０において、用紙Ｐは、画像記録ドラム４１によって所定の搬送経路を搬送される。渡し胴８０から画像記録ドラム４１に受け渡された用紙Ｐは、バックテンション付与装置３００によってバックテンションが付与されながら押圧ローラ４２でニップされて、画像記録ドラム４１の外周面に密着される。次いで、用紙浮き検出センサ４３によって、浮きの有無が検出され、その後、各インクジェットヘッド４４Ｃ、４４Ｍ、４４Ｙ、４４ＫからＣ、Ｍ、Ｙ、Ｋの各色のインク滴が印刷面に打滴されて、印刷面にカラー画像が描画される。
【００８８】
なお、用紙Ｐの浮きが検出された場合は、搬送が停止される。これにより、浮いた用紙Ｐが、インクジェットヘッド４４Ｃ、４４Ｍ、４４Ｙ、４４Ｋのノズル面に接触するのを防止できる。
【００８９】
上記のように、本例のインクジェット記録装置１０では、各色ともに水性インクが使用される。このような水性インクを用いた場合であっても、上記のように、用紙Ｐには処理液が塗布されているので、一般の印刷用紙を用いた場合であっても、高品位な印刷を行うことができる。
【００９０】
画像が描画された用紙Ｐは、渡し胴９０に受け渡される。そして、渡し胴９０によって所定の搬送経路を搬送されて、インク乾燥部５０の搬送ドラム５１に受け渡される。
【００９１】
ここで、上記のように、渡し胴９０には、その内部にドライヤ９４が設置されており、ガイド板９２に向けて熱風が吹き出されている。インクの乾燥処理は、後段のインク乾燥部５０で行われるが、用紙Ｐは、この渡し胴９０による搬送時にも乾燥処理が施される。
【００９２】
なお、図示されていないが、この画像記録部４０には、インクジェットヘッド４４Ｃ、４４Ｍ、４４Ｙ、４４Ｋのメンテナンスを行うメンテナンス部が備えられており、インクジェットヘッド４４Ｃ、４４Ｍ、４４Ｙ、４４Ｋは、必要に応じてメンテナンス部に移動して、所要のメンテナンスができるように構成されている。
【００９３】
〈インク乾燥部〉
インク乾燥部５０は、画像記録後の用紙Ｐに残存する液体成分を乾燥させる。このインク乾燥部５０は、主として、用紙Ｐを搬送する搬送ドラム（以下、「インク乾燥ドラム」という。）５１と、インク乾燥ドラム５１によって搬送される用紙Ｐに対して乾燥処理を施すインク乾燥装置５２とで構成される。
【００９４】
インク乾燥ドラム５１は、渡し胴９０から用紙Ｐを受け取り（グリッパＧで用紙Ｐの先端を把持して受け取る。）、回転して用紙Ｐを所定の搬送経路に沿って搬送する。
【００９５】
インク乾燥装置５２は、たとえば、ドライヤで構成され（本例では用紙Ｐの搬送経路に沿って配設された３台のドライヤで構成）、インク乾燥ドラム５１によって搬送される用紙Ｐに向けて熱風（たとえば、８０℃）を吹き付ける。
【００９６】
以上の構成のインク乾燥部５０において、用紙Ｐは、インク乾燥ドラム５１によって所定の搬送経路を搬送される。そして、その搬送過程で印刷面にインク乾燥装置５２から熱風が吹き付けられて、印刷面に付与されたインクが乾燥される（溶媒成分が蒸発除去される。）。
【００９７】
インク乾燥装置５２を通過した用紙Ｐは、その後、所定位置でインク乾燥ドラム５１から渡し胴１００に受け渡される。そして、渡し胴１００によって所定の搬送経路を搬送されて、定着部６０の搬送ドラム６１に受け渡される。
【００９８】
なお、上記のように、渡し胴１００には、その内部にドライヤ１０４が設置されており、ガイド板１０２に向けて熱風が吹き出されている。したがって、用紙Ｐは、この渡し胴１００での搬送時にも乾燥処理が施される。
【００９９】
〈定着部〉
定着部６０は、用紙Ｐを加熱加圧して、印刷面に画像記録された画像を定着させる。この定着部６０は、主として、用紙Ｐを搬送する搬送ドラム（以下、「定着ドラム」という。）６１と、用紙Ｐの印刷面に紫外線を当てる紫外線照射光源６２と、印刷後の用紙Ｐの温度、湿度等を検出するとともに、印刷された画像を撮像するインラインセンサ６４とで構成される。
【０１００】
定着ドラム６１は、渡し胴１００から用紙Ｐを受け取り（グリッパＧで用紙Ｐの先端を把持して受け取る。）、回転して用紙Ｐを所定の搬送経路に沿って搬送する。
【０１０１】
紫外線照射光源６２は、定着ドラム６１によって搬送される用紙Ｐの印刷面に紫外線を照射して、処理液とインクとの凝集体を固化させる。
【０１０２】
インラインセンサ６４は、温度計、湿度計、ＣＣＤラインセンサ等を備え、定着ドラム６１によって搬送される用紙Ｐの温度、湿度等を検出するとともに、用紙Ｐに印刷された画像を読み取る。このインラインセンサ６４の検出結果に基づいて、装置の異常やヘッドの吐出不良等がチェックされる。
【０１０３】
以上の構成の定着部６０において、用紙Ｐは、定着ドラム６１によって所定の搬送経路を搬送される。そして、その搬送過程で紫外線照射光源６２から印刷面に紫外線が照射され、処理液とインクとの凝集体が固化される。
【０１０４】
定着処理が施された用紙Ｐは、この後、所定位置で定着ドラム６１から回収部７０へと受け渡される。
【０１０５】
〈回収部〉
回収部７０は、一連の印刷処理が行われた用紙Ｐをスタッカ７１に積み重ねて回収する。この回収部７０は、主として、用紙Ｐを回収するスタッカ７１と、定着部６０で定着処理された用紙Ｐを定着ドラム６１から受け取り、所定の搬送経路を搬送して、スタッカ７１に排紙する排紙コンベア７２とで構成される。
【０１０６】
定着部６０で定着処理された用紙Ｐは、定着ドラム６１から排紙コンベア７２に受け渡され、その排紙コンベア７２によってスタッカ７１まで搬送されて、スタッカ７１内に回収される。
【０１０７】
《制御系》
図２は、本実施の形態のインクジェット記録装置の制御系の概略構成を示すブロック図である。
【０１０８】
同図に示すように、インクジェット記録装置１０は、システムコントローラ２００、通信部２０１、画像メモリ２０２、搬送制御部２０３、給紙制御部２０４、処理液塗布制御部２０５、画像記録制御部２０６、インク乾燥制御部２０７、定着制御部２０８、回収制御部２０９、操作部２１０、表示部２１１等を備えている。
【０１０９】
システムコントローラ２００は、インクジェット記録装置１０の各部を統括制御する制御手段として機能するとともに、各種演算処理を行う演算手段として機能する。このシステムコントローラ２００は、ＣＰＵ、ＲＯＭ、ＲＡＭ等を備えており、所定の制御プログラムに従って動作する。ＲＯＭには、このシステムコントローラ２００が、実行する制御プログラムや制御に必要な各種データが格納されている。
【０１１０】
通信部２０１は、所要の通信インターフェースを備え、その通信インターフェースと接続されたホストコンピュータとの間でデータの送受信を行う。
【０１１１】
画像メモリ２０２は、画像データを含む各種データの一時記憶手段として機能し、システムコントローラ２００を通じてデータの読み書きが行われる。通信部２０１を介してホストコンピュータから取り込まれた画像データは、この画像メモリ２０２に格納される。
【０１１２】
搬送制御部２０３は、処理液塗布部３０、画像記録部４０、インク乾燥部５０、定着部６０の各部における用紙Ｐの搬送手段である搬送ドラム３１、４１、５１、６１と、渡し胴８０、９０、１００の駆動を制御する。
【０１１３】
すなわち、各搬送ドラム３１、４１、５１、６１を駆動するモータの駆動を制御するとともに、各搬送ドラム３１、４１、５１、６１に備えられた、グリッパＧの開閉を制御する。
【０１１４】
同様に各渡し胴８０、９０、１００を駆動するモータの駆動を制御するとともに、各渡し胴８０、９０、１００に備えられた、グリッパＧの開閉を制御する。
【０１１５】
また、各搬送ドラム３１、４１、５１、６１には、用紙Ｐを周面に吸着保持する機構が備えられているので、その吸着保持機構の駆動を制御する（本実施の形態では、用紙Ｐを真空吸着するので、負圧発生手段としての真空ポンプの駆動を制御する。）。
【０１１６】
また、各渡し胴８０、９０、１００には、ドライヤ８４、９４、１０４が備えられているので、その駆動（加熱量と送風量）を制御する。
【０１１７】
この搬送ドラム３１、４１、５１、６１と、渡し胴８０、９０、１００の駆動は、システムコントローラ２００からの指令に応じて制御される。
【０１１８】
給紙制御部２０４は、システムコントローラ２００からの指令に応じて給紙部２０を構成する各部（給紙装置２１、渡し胴２３等）の駆動を制御する。
【０１１９】
処理液塗布制御部２０５は、システムコントローラ２００からの指令に応じて処理液塗布部３０を構成する各部（塗布装置３２等）の駆動を制御する。
【０１２０】
画像記録制御部２０６は、システムコントローラ２００からの指令に応じて画像記録部４０を構成する各部（押圧ローラ４２、用紙浮き検出センサ４３、インクジェットヘッド４４Ｃ、４４Ｍ、４４Ｙ、４４Ｋ、バックテンション付与装置３００等）の駆動を制御する。
【０１２１】
インク乾燥制御部２０７は、システムコントローラ２００からの指令に応じてインク乾燥部５０を構成する各部（インク乾燥装置５２等）の駆動を制御する。
【０１２２】
定着制御部２０８は、システムコントローラ２００からの指令に応じて定着部６０を構成する各部（紫外線照射光源６２、インラインセンサ６４等）の駆動を制御する。
【０１２３】
回収制御部２０９は、システムコントローラ２００からの指令に応じて回収部７０を構成する各部（排紙コンベア７２等）の駆動を制御する。
【０１２４】
操作部２１０は、所要の操作手段（たとえば、操作ボタンやキーボード、タッチパネル等）を備えており、その操作手段から入力された操作情報をシステムコントローラ２００に出力する。システムコントローラ２００は、この操作部２１０から入力された操作情報に応じて各種処理を実行する。
【０１２５】
表示部２１１は、所要の表示装置（たとえば、ＬＣＤパネル等）を備えており、システムコントローラ２００からの指令に応じて所要の情報を表示装置に表示させる。
【０１２６】
上記のように、用紙に記録する画像データは、ホストコンピュータから通信部２０１を介してインクジェット記録装置１０に取り込まれ、画像メモリ２０２に格納される。システムコントローラ２００は、この画像メモリ２０２に格納された画像データに所要の信号処理を施してドットデータを生成し、生成したドットデータに従って画像記録部４０の各インクジェットヘッドの駆動を制御することにより、その画像データが表す画像を用紙に記録する。
【０１２７】
ドットデータは、一般に画像データに対して色変換処理、ハーフトーン処理を行って生成される。色変換処理は、ｓＲＧＢなどで表現された画像データ（たとえば、ＲＧＢ８ビットの画像データ）をインクジェット記録装置１０で使用するインクの各色のインク量データに変換する処理である（本例では、Ｃ、Ｍ、Ｙ、Ｋの各色のインク量データに変換する。）。ハーフトーン処理は、色変換処理により生成された各色のインク量データに対して誤差拡散等の処理で各色のドットデータに変換する処理である。
【０１２８】
システムコントローラ２００は、画像データに対して色変換処理、ハーフトーン処理を行って各色のドットデータを生成する。そして、生成した各色のドットデータに従って、対応するインクジェットヘッドの駆動を制御することにより、画像データが表す画像を用紙に記録する。
【０１２９】
《印刷動作》
次に、上記のインクジェット記録装置１０による印刷動作について概説する。
【０１３０】
システムコントローラ２００から給紙装置２１に給紙指令が出力されると、給紙装置２１から給紙トレイ２２に用紙Ｐが給紙される。給紙トレイ２２に給紙された用紙Ｐは、渡し胴２３を介して処理液塗布部３０の処理液塗布ドラム３１に受け渡される。
【０１３１】
処理液塗布ドラム３１に受け渡された用紙Ｐは、処理液塗布ドラム３１によって所定の搬送経路を搬送され、その搬送過程で塗布装置３２によって印刷面に処理液が塗布される。
【０１３２】
処理液が塗布された用紙Ｐは、処理液塗布ドラム３１から渡し胴８０に受け渡される。そして、その渡し胴８０によって所定の搬送経路を搬送されて、画像記録部４０の画像記録ドラム４１に受け渡される。用紙Ｐは、その渡し胴８０による搬送過程で渡し胴８０の内部に設置されたドライヤ８４から印刷面に熱気が吹き付けられ、印刷面に塗布された処理液が乾燥される。
【０１３３】
渡し胴８０から画像記録ドラム４１に受け渡された用紙Ｐは、まず、押圧ローラ４２にニップされて、裏面が画像記録ドラム４１の外周面に密着される。
【０１３４】
押圧ローラ４２を通過した用紙Ｐは、その後、用紙浮き検出センサ４３によって浮きの有無が検出される。ここで、用紙Ｐの浮きが検出されると、搬送が停止される。一方、浮きが検出されない場合は、そのままインクジェットヘッド４４Ｃ、４４Ｍ、４４Ｙ、４４Ｋに向けて搬送される。そして、各インクジェットヘッド４４Ｃ、４４Ｍ、４４Ｙ、４４Ｋの下を通過する際、各インクジェットヘッド４４Ｃ、４４Ｍ、４４Ｙ、４４ＫからＣ、Ｍ、Ｙ、Ｋの各色のインク滴が吐出されて、印刷面にカラー画像が描画される。
【０１３５】
画像が描画された用紙Ｐは、画像記録ドラム４１から渡し胴９０に受け渡される。そして、その渡し胴９０によって所定の搬送経路を搬送されて、インク乾燥部５０のインク乾燥ドラム５１に受け渡される。用紙Ｐは、その渡し胴９０による搬送過程で渡し胴９０の内部に設置されたドライヤ９４から印刷面に熱気が吹き付けられて、印刷面に付与されたインクが乾燥される。
【０１３６】
インク乾燥ドラム５１に受け渡された用紙Ｐは、インク乾燥ドラム５１によって所定の搬送経路を搬送される。そして、その搬送過程でインク乾燥装置５２から熱風が印刷面に吹き付けられて、印刷面に残存する液体成分が乾燥される。
【０１３７】
乾燥処理された用紙Ｐは、インク乾燥ドラム５１から渡し胴１００に受け渡される。そして、その渡し胴１００によって所定の搬送経路を搬送されて、定着部６０の定着ドラム６１に受け渡される。用紙Ｐは、その渡し胴１００による搬送過程で渡し胴１００の内部に設置されたドライヤ１０４から印刷面に熱気が吹き付けられ、印刷面に付与されたインクが、更に乾燥される。
【０１３８】
定着ドラム６１に受け渡された用紙Ｐは、定着ドラム６１によって所定の搬送経路を搬送される。そして、その搬送過程で印刷面に紫外線が照射され、描画された画像が用紙Ｐに定着される。用紙Ｐは、この後、定着ドラム６１から回収部７０の排紙コンベア７２に受け渡され、排紙コンベア７２によってスタッカ７１まで搬送されて、スタッカ７１内に排紙される。
【０１３９】
以上のように、本例のインクジェット記録装置１０では、用紙Ｐをドラム搬送し、その搬送過程で用紙Ｐに対し、処理液の塗布、乾燥、インク滴の打滴、乾燥、定着の各処理を施して、用紙Ｐに所定の画像を記録する。
【０１４０】
《画像記録部における用紙搬送機構の詳細》
図３は、画像記録部の用紙搬送機構の概略構成を示す側面図である。また、図４は、画像記録部の用紙搬送機構の概略構成を示す斜視図である。
【０１４１】
上記のように、画像記録部４０は、用紙Ｐを搬送する画像記録ドラム４１と、その画像記録ドラム４１に搬送される用紙Ｐをニップして、画像記録ドラム４１の周面に密着させる押圧ローラ４２と、画像記録ドラム４１によって搬送される用紙Ｐの浮きを検出する用紙浮き検出センサ４３と、画像記録ドラム４１によって搬送される用紙Ｐにインク滴を吐出するインクジェットヘッド４４Ｃ、４４Ｍ、４４Ｙ、４４Ｋと、押圧ローラ４２の直前の位置で用紙Ｐの表面（印刷面）を吸引して、用紙Ｐにバックテンションを付与するバックテンション付与装置３００とを備えて構成される。
【０１４２】
画像記録ドラム４１は、渡し胴８０によって搬送される用紙Ｐを所定の受取位置Ａで受け取り、軸回りに回転して、用紙Ｐを円弧状の搬送経路に沿って搬送する。この際、用紙Ｐを外周面上に吸着保持して搬送する。すなわち、画像記録ドラム４１の周面には、多数の吸引穴が一定のパターンで形成されており、この吸引穴を介して内部から空気を吸引することにより、外周面上に巻き掛けられた用紙Ｐを吸着保持する。
【０１４３】
なお、本実施の形態の画像記録ドラム４１では、吸着の作動範囲が限定されており、所定の吸着開始位置Ｂから吸着終了位置Ｃの範囲でのみ吸着が作動する。ここで、吸着開始位置Ｂは、受取位置Ａから一定距離離れた位置（一定角度回転した位置）に設定され、吸着終了位置Ｃは渡し胴９０に用紙Ｐを受け渡す位置に設定される。したがって、用紙Ｐは、受取位置Ａから一定距離搬送された後、吸着が開始される。
【０１４４】
押圧ローラ４２は、図４に示すように、用紙Ｐの搬送方向に対してインクジェットヘッドの上流位置に配置される。本例では吸着開始位置Ｂに配置される。
【０１４５】
この押圧ローラ４２は、画像記録ドラム４１の幅とほぼ同じ幅を有するゴムローラ（ここでは、金属製の芯材（軸部）の周囲をゴムで被覆したローラ）で構成され、図５に示すように、外径が中央から両端に向かって小さくなるような形状（特に、外形が円弧を成すように小さくなる形状）で形成される。いわゆるクラウン形状に形成される。
【０１４６】
押圧ローラ４２は、画像記録ドラム４１と平行に配置（用紙Ｐの搬送方向と直交して配置）され、その軸部の両端を図示しない軸受に軸支されて回転自在に支持される。軸受は、図示しない付勢機構（たとえば、バネ）によって、画像記録ドラム４１に向けて所定の付勢力で付勢される。これにより、押圧ローラ４２が画像記録ドラム４１の外周面に所定の押圧力で押圧当接される。また、これにより、画像記録ドラム４１が回転すると、その画像記録ドラム４１の回転に連動して回転する（いわゆる連れ回り）。
【０１４７】
受取位置で画像記録ドラム４１に受け渡された用紙Ｐは、吸着開始位置Ｂまで搬送されると、押圧ローラ４２にニップされて、画像記録ドラム４１の外周面に密着される。また、これと同時に吸引が開始される。
【０１４８】
用紙浮き検出センサ４３は、押圧ローラ４２を通過した用紙Ｐの浮きを検出する。したがって、用紙浮き検出センサ４３は、押圧ローラ４２の後段（画像記録ドラム４１による用紙Ｐの搬送方向の下流側）に設置される。
【０１４９】
図４に示すように、この用紙浮き検出センサ４３は、レーザ光を投光するレーザ投光器４３Ａと、そのレーザ光を受光するレーザ受光器４３Ｂとで構成される。
【０１５０】
レーザ投光器４３Ａは、画像記録ドラム４１の幅方向の一端から他端に向けて画像記録ドラム４１の軸と平行なレーザ光を画像記録ドラム４１の外周面から所定高さの位置（浮きの許容範囲の上限の高さの位置）に投光する。
【０１５１】
レーザ受光器４３Ｂは、画像記録ドラム４１による用紙Ｐの走行経路を挟んでレーザ投光器４３Ａと対向して配置され、レーザ投光器４３Ａから投光されたレーザ光を受光する。レーザ受光器４３Ｂは、受光したレーザ光の受光量を検出し、その検出結果をシステムコントローラ２００に出力する。
【０１５２】
システムコントローラ２００は、得られた受光量の情報に基づいて、用紙Ｐの浮きを検出する。すなわち、用紙Ｐに許容値以上の浮きが生じると、レーザ投光器４３Ａから投光されるレーザ光が用紙Ｐに遮られる。この結果、レーザ受光器４３Ｂで受光されるレーザ光の受光量が低下する。システムコントローラ２００は、このレーザ受光器４３Ｂで受光されるレーザ光の受光量と閾値とを比較し、受光量が閾値以下になった場合に浮き（許容値以上の浮き）が発生したと判定して、これを検出する。これにより、用紙Ｐの浮きを検出することができる。
【０１５３】
システムコントローラ２００は、許容値以上の浮きを検出すると、画像記録ドラム４１の回転を停止し、用紙Ｐの搬送を停止する。これにより、浮いた用紙Ｐが、インクジェットヘッドのノズル面に接触するのを防止することができる。
【０１５４】
なお、用紙浮き検出センサ４３は、レーザ投光器４３Ａとレーザ受光器４３Ｂで投光・受光するレーザ光の高さ（画像記録ドラム４１の外周面からの高さ）を調整可能に構成される。これにより、用紙Ｐの厚さ等に応じて、浮きの許容範囲を任意に設定することができる。
【０１５５】
投光・受光するレーザ光の高さの調整は、たとえば、レーザ投光器４３Ａとレーザ受光器４３Ｂの設置高さを変えることにより行われる。この他、レーザ投光器４３Ａとレーザ受光器４３Ｂの前に角度調整可能な透明平行平板（たとえば、硝子平行平板）を設置し、屈折を利用して、投光・受光するレーザ光の高さの調整を調整することもできる（透明平行平板をレーザ光に対して直交して配置すれば、レーザ光は直進するが、傾けて設置することにより、入射時と出射時に屈折して、高さの調整を行うことができる。）。
【０１５６】
また、レーザ投光器４３Ａとレーザ受光器４３Ｂの前段にアパーチャを設置することにより、不要な光を排除でき、より高精度な検出を行うことができる。
【０１５７】
バックテンション付与装置３００は、図３に示すように、画像記録ドラム４１によって搬送される用紙Ｐが、押圧ローラ４２によって押圧される直前の位置（画像記録ドラム４１と押圧ローラ４２との間に進入する直前の位置）で用紙Ｐの上面を吸引して、用紙Ｐにバックテンションを付与する。
【０１５８】
バックテンション付与装置３００は、主として、用紙ガイド３１０と、真空ポンプ３１２とで構成される。
【０１５９】
用紙ガイド３１０は、用紙Ｐの搬送方向と平行な断面が台形状をした中空のボックス形状（末広がりのボックス状）に形成され、用紙幅に対応して形成される。したがって、その幅（用紙Ｐの搬送方向と直交する方向の幅）は、画像記録ドラム４１の幅とほぼ同じに形成される。
【０１６０】
用紙ガイド３１０の画像記録ドラム側の面（下面）は、用紙Ｐの表面（印刷面）を吸引するとともに、用紙Ｐの走行をガイド面３１６とされ、平坦に形成される。
【０１６１】
用紙ガイド３１０は、押圧ローラ４２に近接して設置されるとともに、ガイド面３１６が、押圧ローラ４２の設置点（押圧ローラ４２と画像記録ドラム４１の外周面とが接する点（本例では吸着開始位置Ｂ））における画像記録ドラム４１の接線Ｔに沿うように配置される（ガイド面３１６の延長線上に押圧ローラ４２の設置点が位置するように配置される。）。
【０１６２】
図６は、用紙ガイドの下面図（ガイド面の平面図）である。同図に示すように、ガイド面３１６には、吸引穴３１８が形成される。吸引穴３１８は、スリット状に形成され、用紙Ｐの搬送方向と直交する方向に形成される（押圧ローラ４２の軸と平行に形成される。）。吸引穴３１８は、中空状に形成された用紙ガイドの内部（中空部）と連通される。
【０１６３】
吸引穴３１８の本数は、特に限定されない。ガイド面３１６の前後方向（用紙Ｐの搬送方向）の長さ等に応じて適宜設定される。本例では、用紙Ｐの搬送方向の前後に２本の吸引穴３１８が形成されている。
【０１６４】
用紙ガイド３１０の上面（ガイド面３１６と反対側の面）には、中央部に吸引口３２０が形成される。吸引口３２０は、中空状に形成された用紙ガイド３１０の内部（中空部）と連通される。この吸引口３２０から空気を吸引することにより、ガイド面３１６に形成された吸引穴３１８から空気が吸引される。
【０１６５】
また、用紙ガイド３１０の上面には、真空防止穴３２２が形成される。真空防止穴３２２は、用紙ガイド３１０の内部の圧を逃がして、過剰な吸引力が作用するのを防止する。真空防止穴３２２は、このように過剰な吸引力が作用するのを防止するためのものであるため、その設置位置、大きさ、設置数は、当該目的が適う範囲で適宜調整される。
【０１６６】
真空ポンプ３１２は、吸引配管３１４を介して用紙ガイド３１０の吸引口３２０と接続される。この真空ポンプ３１２を駆動することにより、用紙ガイド３１０の内部（中空部）が吸引され、ガイド面３１６に形成された吸引穴３１８からエアが吸引される。真空ポンプ３１２の駆動は、画像記録制御部２０６を介してシステムコントローラ２００に制御される。
【０１６７】
バックテンション付与装置３００は、以上のように構成される。
【０１６８】
《画像記録部における用紙搬送機構の作用》
上記のように、用紙Ｐは、渡し胴８０から画像記録ドラム４１に受け渡される。画像記録ドラム４１は、所定の受取位置Ａで渡し胴８０から用紙Ｐを受け取る。
【０１６９】
用紙Ｐの受け取りは、グリッパＧで用紙Ｐの先端を把持することにより行われる。この用紙Ｐの受け取りは、回転しながら行われる。
【０１７０】
先端がグリッパＧで把持された用紙Ｐは、画像記録ドラム４１の回転によって搬送される。そして、押圧ローラ４２の設置位置で押圧ローラ４２によって表面（印刷面）が押圧され、画像記録ドラム４１の外周面に密着される。
【０１７１】
ここで、本例のインクジェット記録装置１０には、押圧ローラ４２の手前（用紙Ｐの搬送方向の上流側）に用紙ガイド３１０が設置されている。
【０１７２】
用紙ガイド３１０のガイド面３１６は、画像記録ドラム４１の外周から離間して設置されているが、ガイド面３１６に形成された吸引穴３１８からは、インクジェット記録装置１０の稼動と同時に空気が吸引される（真空ポンプ３１２が駆動される。）。この結果、画像記録ドラム４１によって搬送される用紙Ｐは、押圧ローラ４２に押圧される直前の位置で表面（印刷面）が吸引穴３１８に吸引され、表面がガイド面３１６に吸着される。これにより、押圧ローラ４２と画像記録ドラム４１との間に進入してゆく用紙Ｐにバックテンションが付与される。そして、このバックテンションが付与されることにより、用紙Ｐが搬送方向に伸ばされて、用紙Ｐに生じている変形（歪み）が取り除かれる。
【０１７３】
すなわち、図７（ａ）に示すように、バックテンションが付与されていないと、用紙Ｐは、変形が残ったまま押圧ローラ４２と画像記録ドラム４１との間に進入する。一方、図７（ｂ）に示すように、バックテンションを付与することにより、用紙Ｐは、搬送方向に伸ばされて、変形（歪み）が取り除かれながら、押圧ローラ４２と画像記録ドラム４１との間に用紙Ｐが進入する。
【０１７４】
用紙ガイド３１０によってバックテンションが付与された状態で押圧ローラ４２と画像記録ドラム４１との間に進入した用紙Ｐは、押圧ローラ４２によって表面が押圧され、画像記録ドラム４１の外周面に密着する。
【０１７５】
ここで、本実施の形態の押圧ローラ４２は、外径が中央から両端に向かって小さくなるような形状（いわゆるクラウン形状）で形成されているため、用紙Ｐを幅方向（搬送方向と直交する方向）に伸ばしながら、用紙を押圧することができる。図８は、そのメカニズムを説明する図である。いわゆるクラウン形状で形成された押圧ローラ４２で用紙Ｐを押圧すると、用紙Ｐは、同図（ａ）に示すように、中央部から先に押圧ローラ４２に接触するようになる。このため、同図（ｂ）に示すように、用紙Ｐは、中央部から外側に向かって順に押圧される（搬送方向に直交する断面で見た場合、中央部から外側に向かって順に押圧される。すなわち、図８（ｂ）において、符号１→２→３の順番で押圧される。）。この結果、用紙Ｐは、幅方向の両側に向かって伸ばされながら押圧される（幅方向の両側に向かってしごかれる。）。これにより、用紙Ｐの変形（歪み）を幅方向に伸ばしながら、画像記録ドラム４１の表面に押し付けることができる。
【０１７６】
上記のように、用紙Ｐは、バックテンションが付与されながら、押圧ローラ４２と画像記録ドラム４１との間に進入する。そして、このバックテンションの作用によって、用紙Ｐは、搬送方向に伸ばされながら、押圧ローラ４２と画像記録ドラム４１との間に進入する。そして、更に押圧ローラ４２によって幅方向に伸ばされながら、画像記録ドラム４１の周面に押し付ける。このように、バックテンションによる作用と押圧ローラ４２による作用の相乗効果で用紙Ｐの隅々までシワや浮きを発生させることになく、用紙Ｐを画像記録ドラム４１の周面に巻き付けることができる。特に、用紙後端の幅方向の両端部においてもシワや浮きを発生させることになく、用紙Ｐを画像記録ドラム４１の周面に密着させることができる。
【０１７７】
画像記録ドラム４１は、押圧ローラ４２の設置点から吸引が作動するので、用紙Ｐは、押圧ローラ４２による押圧と同時に裏面が、画像記録ドラム４１の外周面に形成された吸引穴から吸引され、画像記録ドラム４１の外周面上に吸着保持される。
【０１７８】
用紙Ｐは、その後、用紙浮き検出センサ４３を通過することによって、浮きの有無が検出された後、インクジェットヘッド４４Ｃ、４４Ｍ、４４Ｙ、４４Ｋの設置部を通過して、その表面に画像が記録される。
【０１７９】
以上説明したように、本実施の形態の用紙搬送機構によれば、用紙Ｐにバックテンションを付与するとともに、いわゆるクラウン形状で形成された押圧ローラ４２で用紙Ｐを押圧して、用紙Ｐを画像記録ドラム４１の周面に密着させる。これにより、バックテンションによる作用と、いわゆるクラウン形状で形成された押圧ローラ４２による作用との相乗効果で用紙Ｐの隅々までシワや浮きを発生させることになく、用紙Ｐを画像記録ドラム４１の周面に巻き付けることができる。そして、これにより、用紙Ｐを安定して搬送することができ、高品質な画像を安定して記録することができる。
【０１８０】
また、本実施の形態では、ガイド面３１６が押圧ローラ４２の設置点における画像記録ドラム４１の接線Ｔに沿うように配置されるので、用紙Ｐをスムーズに押圧ローラ４２と画像記録ドラム４１との間に進入させることができる。
【０１８１】
更に、本実施の形態の用紙搬送機構では、用紙Ｐの表面を吸引する構成であるため、たとえば、印刷処理対象の用紙Ｐの裏面に既に画像が記録されている場合であっても、その画像を傷つけることなく搬送することができる。
【０１８２】
なお、押圧ローラ４２は、用紙Ｐの幅方向の全域に接触させて、用紙Ｐを押圧するように設定することが好ましい。このため、押圧ローラ４２は、用紙Ｐの幅方向の全域に接触させることができる条件（押圧力（ニップ力））で用紙Ｐに押圧される。また、用紙Ｐの幅方向の全域に接触させることができる条件（ゴムの弾性変形量、外径差等）で形成される。これにより、より確実にシワや浮きの発生を防止することができる。
【０１８３】
なお、押圧ローラ４２は、その外径差を大きくすることにより、用紙Ｐを幅方向に引っ張る力（幅方向のテンション）を大きくすることができる。
【０１８４】
この場合、中央部の外径をａ、両端部の外径をｂとしたとき（図５参照）、ゴムの弾性変形量を考慮して、０≦ａ−ｂ≦４ｔの条件（ｔは用紙の厚さ）を満たすように形成することが望ましい。
【０１８５】
また、押圧ローラ４２の周面は、段差がなく滑らかであり、所定の曲率を持つように形成（円弧状に形成）されることが好ましい。これにより、より確実にシワや浮きの発生を防止することができる。
【０１８６】
上記のように、押圧ローラ４２は、その外径差を変えることにより、用紙Ｐを幅方向に引っ張る力を調整することができる。したがって、用紙Ｐの種類等に応じて、その形状や押圧力を調整することが好ましい。この場合、あらかじめ形状（外径差）の異なる押圧ローラを複数揃えておき、適宜交換できるようにすることが好ましい。また、押圧力の調整機構（たとえば、付勢力を調整可能な付勢機構など）を設けて、押圧力を調整できるようにすることが好ましい。
【０１８７】
《押圧ローラの他の形態》
図９は、押圧ローラの他の形態を示す平面図である。
【０１８８】
同図に示すように、本実施の形態の押圧ローラ４２は、幅方向の全域が同じ径で形成され（円柱状）、周面に中央から外側に向かって螺旋状の溝４２Ａが形成される。
【０１８９】
ここで、溝４２Ａは、押圧ローラ４２の幅方向の中心に対して左右対称に形成される（幅方向の中心を通る直線Ｌに対して左右対称に形成される（直線Ｌは押圧ローラ４２の回転軸に対して直交する直線）。）。
【０１９０】
また、溝４２Ａは、押圧ローラ４２の回転方向に対して、内側に向かうように形成される。すなわち、押圧ローラ４２の回転方向の上流側から下流側に向かって、押圧ローラ４２の幅方向の中央に向かうように形成される（上流側の溝の位置よりも下流側の溝の位置の方が、押圧ローラ４２の幅方向の中央に近い位置に位置するように形成される。）。
【０１９１】
このように形成される押圧ローラ４２は、画像記録ドラム上の用紙Ｐに押し付けられると、用紙Ｐの走行に伴って回転（連れ回り）する。図１０は、用紙Ｐに対する溝４２Ａの相対的な移動軌跡を示す図（用紙Ｐの上を通過するときの溝４２Ａの移動軌跡を示す図）である。同図に示すように、溝４２Ａは、用紙Ｐに対して、幅方向の中央部から外側後方に向かって移動する。そして、この溝４２Ａが、用紙Ｐに対して、幅方向の中央部から外側後方に向かって移動することにより、用紙Ｐを中央部から外側後方に向かって、しごく作用を生じさせることができ（溝４２Ａのエッジ部分で用紙Ｐが、しごかれる）、用紙Ｐに生じている変形（歪み）を幅方向に逃がすことができる。すなわち、上述したクラウン形状の押圧ローラと同様の効果を奏することができる。
【０１９２】
なお、押圧ローラ４２は、その周面に形成する螺旋状の溝４２Ａの傾斜角度α（螺旋状の溝４２Ａが押圧ローラ４２の回転軸と平行な直線と成す角度）を調整することにより、用紙Ｐを幅方向に、しごく力を調整することができる。すなわち、この傾斜角度αを調整することによって、除去するシワの大きさ等を調整することができる。
【０１９３】
したがって、あらかじめ傾斜角度αが異なる押圧ローラ４２を複数揃えておき、適宜交換できるようにすることが好ましい。
【０１９４】
なお、溝４２Ａの深さｔ、幅ｗは特に限定されないが、所定の押圧力で用紙Ｐの全面をニップできるように形成することが好ましく、深さは２ｍｍ以下、幅は１０ｍｍ以下とすることが好ましい。
【０１９５】
《用紙ガイドの他の形態》
〈ガイド面の他の形態〉
上記実施の形態では、用紙ガイド３１０のガイド面３１６の形状を平坦としているが、ガイド面３１６の形状は、これに限定されるものではない。以下、用紙ガイド３１０のガイド面３１６の他の態様について説明する。
【０１９６】
図１１は、用紙ガイドのガイド面の他の態様を示す図である。
【０１９７】
同図（ａ）は、ガイド面３１６の前後方向（用紙Ｐの搬送方向と平行な方向）の断面の形状を画像記録ドラム４１に向けて凸となる円弧状としたものである。
【０１９８】
また、同図（ｂ）は、ガイド面３１６の前後方向（用紙Ｐの搬送方向と平行な方向）の断面の形状を画像記録ドラム４１に対して凹となる円弧状としたものである。
【０１９９】
このように、用紙Ｐの搬送方向と平行な方向の断面の形状を円弧状にすることにより、用紙Ｐの接触面積を増やすことができる。これにより、吸着保持力を増すことができるとともに、安定した用紙Ｐのガイドを行うことができる。
【０２００】
なお、同図に示す例では、吸引穴３１８をガイド面３１６の前後方向の中央にのみ形成しているが、前後方向に沿って複数箇所に形成することもできる。これにより、より接触面積を増やすことができる。
【０２０１】
また、円弧の曲率については、用紙ガイド３１０の設置位置等を考慮して設定し、用紙Ｐを押圧ローラ４２と画像記録ドラム４１との間にガイドしやすいように設定することが好ましい。
【０２０２】
図１２は、用紙ガイドのガイド面の更に他の態様を示す図である。
【０２０３】
同図に示すように、このガイド面３１６は、前後方向（用紙Ｐの搬送方向と平行な方向）の断面の形状を波形とし、その谷部に吸引穴３１８を形成したものである。
【０２０４】
このように形成することにより、用紙Ｐが谷部に向かって引っ張られるように撓むため、吸着保持力をより高めることができる。
【０２０５】
この場合、谷部に形成する吸引穴３１８は、スリット状でもよいし、丸穴又は長穴として、谷部に沿って一定ピッチで形成するようにしてもよい。
【０２０６】
図１３は、用紙ガイドのガイド面の更に他の態様を示す図である。
【０２０７】
同図（ａ）は、ガイド面３１６の幅方向（用紙Ｐの搬送方向と直交する方向）の断面の形状を画像記録ドラム４１に向けて凸となる円弧状としたものである。
【０２０８】
また、同図（ｂ）は、ガイド面３１６の幅方向（用紙Ｐの搬送方向と直交する方向）の断面の形状を画像記録ドラム４１に対して凹となる円弧状としたものである。
【０２０９】
このように、用紙Ｐの搬送方向と直交する方向の断面の形状を円弧状にすることにより、平坦な形状の場合と比べて、用紙Ｐが反る方向に倣うため、用紙Ｐの弛みを防止することができる。これにより、押圧ローラ４２による押圧時に発生するシワの発生をより効果的に防止することができる。また、図１３（ａ）のように、画像記録ドラム４１に向けて凸となる円弧状とすることにより、用紙Ｐの中央から両端方向に順に画像記録ドラム４１に密着させることができ、より効果的にシワの発生を防止することができる。
【０２１０】
なお、用紙Ｐの搬送方向と直交する方向の断面の形状を円弧状にしつつ、用紙Ｐの搬送方向と平行な方向の断面の形状を円弧状又は波形とすることもできる。これにより、双方の効果を得ることができる。
【０２１１】
ガイド面３１６の形状は、使用する用紙Ｐの種類、紙厚等に応じて、適宜最適なものを選択することが好ましい。
【０２１２】
〈吸引穴の他の形態〉
上記実施の形態では、ガイド面３１６に形成する吸引穴３１８の形状をスリット状とし、用紙Ｐの搬送方向と直交するように形成している。このような形状の吸引穴３１８は、用紙Ｐを幅方向に連続的に吸着することができ、高い保持力を得ることができる。
【０２１３】
吸引穴３１８の形状は、種々の態様を採用することができ、使用する用紙Ｐの種類、紙厚等に応じて、適宜最適なものを選択することが好ましい。以下、このガイド面３１６に形成される吸引穴３１８の他の態様について説明する。
【０２１４】
図１４は、ガイド面に形成する吸引穴の他の態様を示す図である。
【０２１５】
同図（ａ）は、ガイド面３１６の幅方向（用紙Ｐの搬送方向と直交する方向）に沿って一定の間隔で吸引穴３１８を複数形成したものである。これにより、用紙Ｐの変形を抑えて、用紙Ｐをスムーズにガイドすることができる。
【０２１６】
なお、この場合、各吸引穴３１８の形状は、特に限定されない。同図に示す例では、各吸引穴３１８の形状を用紙の搬送方向と平行な方向に延びる長穴形状としている。これにより、用紙の変形を抑えつつ、保持力を高めることができる。なお、長穴形状には、同図に示すように、両端が円弧状に形成された形状の他、楕円形状、長方形状等（いわゆる、縦幅と横幅が異なる穴形状）が含まれる。
【０２１７】
図１４（ｂ）は、ガイド面３１６の幅方向に沿って一定ピッチで複数吸引穴３１８を形成するとともに、各吸引穴３１８の形状を長穴形状とし、かつ、各吸引穴３１８を用紙Ｐの搬送方向の上流側の端部が下流側の端部よりもガイド面３１６の中心側に位置するように、用紙Ｐの搬送方向に対して傾斜して形成したものである。この場合、同図に示すように、ガイド面３１６の幅方向の中心に対して、各吸引穴３１８が左右対称に形成され、用紙Ｐの搬送方向に沿って末広がりに形成される。
【０２１８】
このように吸引穴３１８を形成することにより、用紙Ｐがガイド面３１６を摺動する際、用紙Ｐの中央から幅方向の両端に向けてシワを延ばすことができる。これにより、より効果的にシワの発生を防止できる。
【０２１９】
図１４（ｃ）は、図１４（ｂ）と同様に、ガイド面３１６の幅方向に沿って一定ピッチで複数吸引穴３１８を形成するとともに、各吸引穴３１８の形状を長穴形状とし、かつ、各吸引穴３１８を用紙Ｐの搬送方向の上流側の端部が下流側の端部よりもガイド面３１６の中心側に位置するように、用紙Ｐの搬送方向に対して傾斜して形成したものである。ただし、本例では、ガイド面３１６の中心から離れた位置に形成される吸引穴３１８ほど傾斜角度が大きくなるようにしている。
【０２２０】
吸引穴３１８をこのように形成することにより、用紙Ｐの中心から幅方向の両端に向かって徐々にシワを延ばすことができ、シワを伸ばす効果をより高めることができる。
【０２２１】
図１４（ｄ）は、スリット状の吸引穴３１８をガイド面３１６の幅方向の中心に対して、左右対称に配置し、かつ、各吸引穴３１８を用紙Ｐの搬送方向の上流側の端部が下流側の端部よりもガイド面３１６の中心側に位置するように、用紙Ｐの搬送方向に対して傾斜して形成したものである。この場合、同図に示すように、吸引穴３１８は、用紙Ｐの搬送方向に沿って末広がりに形成される。
【０２２２】
吸引穴３１８をこのように形成した場合も用紙Ｐの中心から幅方向の両端に向かって徐々にシワを延ばすことができ、効果的にシワの発生を防止することができる。
【０２２３】
図１４（ｅ）は、ガイド面３１６の幅方向に沿って一定ピッチで複数吸引穴３１８を形成するとともに、各吸引穴３１８の形状を長穴形状とし、かつ、各吸引穴３１８を用紙Ｐの搬送方向に対して傾斜して形成したものである。
【０２２４】
このように吸引穴３１８を形成することにより、用紙Ｐがガイド面３１６を摺動する際、用紙Ｐの幅方向の一方から他方に向けてシワを延ばすことができる。
【０２２５】
図１４（ｆ）は、スリット状の吸引穴３１８をガイド面３１６の対角線に沿って形成したものである（スリット状の吸引穴３１８を用紙Ｐの搬送方向に対して傾斜して形成したものである。
【０２２６】
このように吸引穴３１８を形成することにより、用紙Ｐがガイド面３１６を摺動する際、用紙Ｐの幅方向の一方から他方に向けてシワを延ばすことができる。また、用紙Ｐを幅方向に連続的に吸着することができ、高い保持力を得ることができる。
【０２２７】
図１４（ｇ）は、図１４（ｆ）と同様に、スリット状の吸引穴３１８をガイド面３１６の対角線に沿って形成するとともに、これと平行な吸引穴３１８を複数本形成したものである。
【０２２８】
このように吸引穴３１８を形成することにより、用紙Ｐがガイド面３１６を摺動する際、用紙Ｐの幅方向の一方から他方に向けてシワを延ばすことができるとともに、保持力をより高めることができる。
【０２２９】
図１５は、ガイド面に形成する吸引穴の更に他の態様を示す図である。
【０２３０】
図１４に示す態様では、吸引穴３１８の形状を長穴形状又はスリット状としているが、吸引穴の形状は、これに限定されるものではない。
【０２３１】
図１５（ａ）は、丸穴形状の吸引穴３１８をガイド面３１６の幅方向（用紙Ｐの搬送方向と直交する方向）に沿って一定の間隔で複数形成したものである。吸引穴３１８を丸穴形状とすることにより、加工を容易にすることができる。
【０２３２】
図１５（ｂ）は、丸穴形状の吸引穴３１８をガイド面３１６に複数形成したものである。これにより、吸着面積を増大でき、保持力を更に高めることができる。
【０２３３】
図１５（ｃ）は、吸引穴３１８をガイド面３１６の幅方向に沿って一定の間隔で複数形成するとともに、各吸引穴３１８の形状をガイド面３１６の幅方向に沿って延びる長穴形状としたものである。これにより、保持力を高めつつ、用紙Ｐの変形を抑えることができる。
【０２３４】
なお、吸引穴３１８を長穴形状とする場合は、図１６に示すように、多数の小径の丸穴３１８ａを集合させて、全体として長穴形状に形成することもできる（全体としての外形が長穴形状とされる。）。これにより、高い保持力を得つつ、用紙Ｐの変形を抑えることができる。また、加工も容易に行うことができる。
【０２３５】
上記の例では、説明の便宜上、ガイド面３１６を平坦に形成しているが、ガイド面３１６の形状は、これに限定されるものではない。他の態様のガイド面３１６に吸引穴３１８を形成する場合も同様に、上述した種々の態様の吸引穴３１８を形成することができる。
【０２３６】
《用紙ガイドの設置方法の他の形態》
図１７（ａ）に示すように、上記実施の形態では、ガイド面３１６が押圧ローラ４２の設置点における画像記録ドラム４１の接線Ｔに沿うように用紙ガイド３１０を配置している（ガイド面３１６の延長線上に押圧ローラ４２の設置点が位置するように、用紙ガイド３１０を配置している。）。このように用紙ガイド３１０を配置することにより、用紙Ｐを押圧ローラ４２と画像記録ドラム４１との間に進入しやすくすることができ、シワの防止効果をより高めることができる。
【０２３７】
一方、図１７（ｂ）及び（ｃ）に示すように、用紙ガイド３１０を通過した用紙Ｐが押圧ローラ４２に巻き付くように、用紙ガイド３１０を設置することにより、用紙Ｐが押圧ローラ４２に沿って走行する面積が増加し、押圧ローラ４２でシワを延ばす効果を高めることができる。
【０２３８】
この場合、同図に示すように、押圧ローラ４２の設置点における画像記録ドラム４１の接線Ｔに対してガイド面３１６を傾けて設置（ガイド面３１６で吸引する方向を接線Ｔに対して傾けて設置）することができ、これにより、用紙ガイド３１０を通過した用紙Ｐが押圧ローラ４２に巻き付くように吸引することができる。
【０２３９】
特に、図１７（ｃ）に示すように、接線Ｔに対してガイド面３１６をマイナス（−）方向に傾けて設置（ガイド面３１６で吸引する方向を押圧ローラ４２の設置点と反対方向に向けて設置）することにより、バックテンションの力を増大させることができる。
【０２４０】
このように、用紙ガイド３１０は、その設置位置を調整することにより、バックテンションの掛け方、押圧ローラ４２と画像記録ドラム４１との間への用紙Ｐの進入のさせ方等を調整することができる。したがって、用紙ガイド３１０は、使用する用紙Ｐの種類や紙厚等に応じて、適宜最適な状態に設置することが好ましい。また、用紙Ｐの種類や紙厚等に応じて、吸引のさせ方を変えられるように、設置位置を調整できるようにしてもよい。たとえば、画像記録ドラム４１の軸と平行な軸を中心に首振り自在に支持し、ガイド面３１６の向き（吸引方向）を変えられるようにしてもよい。これにより、吸引のさせ方を調整することができる。また、更に画像記録ドラム４１の外周面からの高さ位置（画像記録ドラム４１の外周面とガイド面３１６との間に形成されるギャップ）を調整できるようにしてもよい。
【０２４１】
また、用紙ガイド３１０は、可能な限りガイド面３１６を画像記録ドラム４１の外周面に近づけて設置することが好ましい。これにより、安定して用紙Ｐを吸引することができる。
【０２４２】
《用紙ガイドの他の形態》
用紙ガイド３１０は、用紙Ｐとの接触面積が大きいほど強い保持力を得ることができる。したがって、そのガイド面３１６の用紙搬送方向の長さ（前後方向の長さ）は、長い程よい。この長さは設置スペース等を考慮して設定され、最大の効果が得られる長さに設定される。
【０２４３】
また、用紙Ｐの搬送方向と直交する方向の長さは、用紙幅とほぼ同じ幅に設定することが好ましい。したがって、画像記録ドラム４１の幅とほぼ同じ幅で形成することが好ましい。
【０２４４】
ただし、設置スペースや使用する用紙Ｐの種類などによっては、図１８（ａ）に示すように、用紙Ｐの中央部のみを吸引するように構成することもできる。
【０２４５】
また、図１８（ｂ）に示すように、一対の用紙ガイド３１０を用いて、用紙Ｐの幅方向の両端部を吸引するように構成することもできる。
【０２４６】
更に、複数台の用紙ガイド３１０を用紙Ｐの搬送方向と直交する方向に並列して配置する構成とすることもできる。この場合、１台の真空ポンプを用いて各用紙ガイド３１０を吸引する構成とすることもできるが、各用紙ガイド３１０に個別に真空ポンプを設置し、個別に吸引できるようにすることもできる。これにより、用紙Ｐのサイズに応じて、吸引する幅を切り替えることができる。なお、１台の真空ポンプを用いた場合であっても、たとえば、各用紙ガイド３１０と真空ポンプとを接続する吸引配管にバルブを設置することにより（個別に吸引をＯＮ／ＯＦＦできるように構成する。）、同様の効果を得ることができる。
【０２４７】
また、用紙ガイド３１０は、図１９に示すように、ローラ状に形成することもできる。
【０２４８】
同図に示す用紙ガイド３１０は、内筒３３０と外筒３３２とからなる二重管構造で構成され、画像記録ドラム４１とほぼ同じ幅で形成される。
【０２４９】
内筒３３０は、円筒状に形成される。内筒３３０は、両端を図示しないブラケットに支持されて、固定して設置される。
【０２５０】
外筒３３２は、円筒状に形成される。外筒３３２は、図示しないベアリングを介して、内筒３３０の外周部を回転自在に設けられる。
【０２５１】
内筒３３０の周面には、一定の角度範囲で開口部３３４が形成される。一方、外筒３３２の外周部には、多数の吸引穴３１８が形成される。
【０２５２】
内筒３３０の一方端には、図示しない吸引口が形成される。吸引口は、吸引配管を介して真空ポンプに接続される。
【０２５３】
真空ポンプを駆動すると、内筒３３０の内部の空気が吸引される。これにより、外筒３３２に形成された吸引穴３１８から空気が吸引される。そして、この吸引穴３１８から空気が吸引されることにより、画像記録ドラム４１によって搬送される用紙Ｐの表面が吸引される。
【０２５４】
用紙Ｐは、吸引穴３１８から吸引されることにより、外筒３３２の外周面に密着する。外筒３３２は、回転自在に設けられているため、用紙Ｐの走行とともに回転（連れ回り）する。
【０２５５】
このように、用紙ガイド３１０をローラ状に形成し、用紙Ｐとともに連れ回りする構成とすることにより、用紙Ｐの表面が擦れるのを防止することができる。
【０２５６】
なお、本例では、外筒３３２を内筒３３０の外周に回転自在に支持し、用紙Ｐとともに連れ回りする構成としているが、モータ等の回転駆動手段で駆動して、用紙Ｐと同じ速度で回転させる構成としてもよい。
【０２５７】
また、外筒３３２をモータ等の回転駆動手段で駆動して、用紙Ｐの搬送方向と逆方向に回転させる構成としてもよい。これにより、バックテンションの力を増大させることができる。
【０２５８】
《吸引方法》
バックテンション付与装置３００は、インクジェット記録装置１０の作動中、常に作動し、用紙ガイド３１０から常に一定の吸引力で空気を吸引する構成とすることもできるが、用紙Ｐの搬送に合わせて吸引力を制御することが好ましい。
【０２５９】
たとえば、用紙Ｐの先端部では、強い吸引力で吸引し、その後、吸引力を弱めるようにする。用紙Ｐは、一度吸着できれば、その状態を保持することができるが、初期の吸着力が弱いと、吸着できないおそれがある。そこで、用紙Ｐの先端部では、強い吸引力で吸引し、その後、吸引力を弱めるようにする。これにより、適切に用紙Ｐを吸引することができる。
【０２６０】
この他、用紙Ｐの後端に向かって徐々に吸引力を弱めるようにすることもできる。
【０２６１】
《その他の実施の形態》
上記実施の形態では、画像記録ドラム４１の用紙搬送機構に本発明を適用した場合を例に説明したが、他の用紙搬送機構にも本発明を適用することができる。たとえば、処理液塗布部３０の用紙搬送機構にも適用することができる。この場合、塗布装置３２（塗布ローラ）の直前位置にバックテンション付与装置を設置する。これにより、塗布ローラによって押圧される用紙Ｐにシワが発生するのを防止することができる。
【０２６２】
また、用紙ガイド３１０は、用紙Ｐの搬送方向に沿って複数台配置する構成とすることもできる。
【符号の説明】
【０２６３】
１０…インクジェット記録装置、２０…給紙部、２１…給紙装置、２２…給紙トレイ、２３…渡し胴、３０…処理液塗布部、３１…搬送ドラム（処理液塗布ドラム）、４０…画像記録部、４１…搬送ドラム（画像記録ドラム）、４２…押圧ローラ、４２Ａ…押圧ローラの周面に形成される溝、４３…用紙浮き検出センサ、４３Ａ…レーザ投光器、４３Ｂ…レーザ受光器、４４Ｃ、４４Ｍ、４４Ｙ、４４Ｋ…インクジェットヘッド、５０…インク乾燥部、５１…搬送ドラム（インク乾燥ドラム）、５２…インク乾燥装置、６０…定着部、６１…搬送ドラム（定着ドラム）、６２…紫外線照射光源、６４…インラインセンサ、７０…回収部、７１…スタッカ、７２…排紙コンベア、８０…渡し胴、８２…ガイド板、８４…ドライヤ、９０…渡し胴、９２…ガイド板、９４…ドライヤ、１００…渡し胴、１０２…ガイド板、１０４…ドライヤ、２００…システムコントローラ、２０１…通信部、２０２…画像メモリ、２０３…搬送制御部、２０４…給紙制御部、２０５…処理液塗布制御部、２０６…画像記録制御部、２０７…インク乾燥制御部、２０８…定着制御部、２０９…回収制御部、２１０…操作部、２１１…表示部、３００…バックテンション付与装置、３１０…用紙ガイド、３１２…真空ポンプ、３１４…吸引配管、３１６…ガイド面、３１８…吸引穴、３１８ａ…丸穴、３２０…吸引口、３２２…真空防止穴、３３０…内筒、３３２…外筒、３３４…開口部、Ｇ…グリッパ、Ｐ…用紙
【図１】
0005480854.tif 000002
【図２】
0005480854.tif 000003
【図３】
0005480854.tif 000004
【図４】
0005480854.tif 000005
【図５】
0005480854.tif 000006
【図６】
0005480854.tif 000007
【図７】
0005480854.tif 000008
【図８】
0005480854.tif 000009
【図９】
0005480854.tif 000010
【図１０】
0005480854.tif 000011
【図１１】
0005480854.tif 000012
【図１２】
0005480854.tif 000013
【図１３】
0005480854.tif 000014
【図１４】
0005480854.tif 000015
【図１５】
0005480854.tif 000016
【図１６】
0005480854.tif 000017
【図１７】
0005480854.tif 000018
【図１８】
0005480854.tif 000019
【図１９】
0005480854.tif 000020